(57)【要約】【課題】  複数の焦点検出領域の中から目的の焦点検出領域を即座に指定可能な自動焦点カメラを提供すること。【解決手段】  複数の焦点検出領域（２５ａ〜２５ｋ）を有し、前記複数の焦点検出領域（２５ａ〜２５ｋ）の少なくとも１つの焦点検出結果に基づき撮影レンズ３を駆動して被写体に合焦調節を行う自動焦点カメラであって、前記複数の焦点検出領域（２５ａ〜２５ｋ）の中から任意の焦点検出領域を選択する焦点検出領域選択手段（４１ａ〜４１ｋ）を有し、前記焦点検出領域選択手段（４１ａ〜４１ｋ）の配列は、前記複数の焦点検出領域（２５ａ〜２５ｋ）の配列に少なくとも対応している自動焦点カメラ。【選択図】  図３
2005227598.tif 000002
【特許請求の範囲】
【請求項１】
複数の焦点検出領域を有し、
前記複数の焦点検出領域の少なくとも１つの焦点検出結果に基づき撮影レンズを駆動して被写体に合焦調節を行う自動焦点カメラであって、
前記複数の焦点検出領域の中から任意の焦点検出領域を選択する焦点検出領域選択手段を有し、
前記焦点検出領域選択手段の配列は、前記複数の焦点検出領域の配列に少なくとも対応していることを特徴とする自動焦点カメラ。
【請求項２】
前記焦点検出領域選択手段の配列は、前記複数の焦点検出領域の配列と略相似的な位置関係にあることを特徴とする請求項１に記載の自動焦点カメラ。
【請求項３】
前記焦点検出領域選択手段の周辺部に、前記自動焦点カメラの視野枠に対応する視野枠マークを有することを特徴とする請求項１または２に記載の自動焦点カメラ。
【請求項４】
前記焦点検出領域選択手段は、前記自動焦点カメラの裏蓋に配設されていることを特徴とする請求項１から３のいずれか1項に記載の自動焦点カメラ。
【請求項５】
前記焦点検出領域選択手段は、選択された前記焦点検出領域手段が判別可能であることを特徴とする請求項１から４のいずれか１項に記載の自動焦点カメラ。
【請求項６】
前記焦点検出領域選択手段は、前記複数の焦点検出領域の中で合焦した前記焦点検出領域が判別可能であることを特徴とする請求項１から５のいずれか１項に記載の自動焦点カメラ。
【請求項７】
前記焦点検出領域選択手段は、前記複数の焦点検出領域の焦点検出順序を判別可能であることを特徴とする請求項１から６のいずれか１項に記載の自動焦点カメラ。
【発明の詳細な説明】
【技術分野】
【０００１】
本発明は、複数の焦点検出領域を持つ自動焦点カメラに関する。
【背景技術】
【０００２】
近年、複数の焦点検出領域を備え、これら複数の焦点検出領域の選択された領域で焦点検出を行い、その結果に基づき被写体に合焦する自動焦点カメラが増加している。このような複数の焦点検出領域の内、任意の焦点検出領域を選択する手段として、ダイアルを用いたものや４つの方向キーを用いたものが提案されている（例えば、特許文献１、特許文献２参照。）。
【特許文献１】特開平８−０５４６７５号公報
【特許文献２】特開平７−２７０６７１号公報
【発明の開示】
【発明が解決しようとする課題】
【０００３】
しかしながら、従来の焦点検出領域の選択方法は、いずれも目的とする焦点検出領域を直接選択するのではなく、ダイアルや方向キーで複数の焦点検出領域を順番に指示し、目標の焦点検出領域に到達した時点で決定することで選択していた。従って、目的の焦点検出領域を指定するためには煩雑な動作を行う必要があり、時間がかかること、および目的の焦点検出領域を即座に指定することが出来ないという問題がある。
【０００４】
本発明は、上記問題に鑑みて行われたものであり、複数の焦点検出領域の中から目的の焦点検出領域を即座に指定可能な自動焦点カメラを提供することを目的としている。
【課題を解決するための手段】
【０００５】
上記目的を達成するために、本発明は、複数の焦点検出領域を有し、前記複数の焦点検出領域の少なくとも１つの焦点検出結果に基づき撮影レンズを駆動して被写体に合焦調節を行う自動焦点カメラであって、前記複数の焦点検出領域の中から任意の焦点検出領域を選択する焦点検出領域選択手段を有し、前記焦点検出領域選択手段の配列は、前記複数の焦点検出領域の配列に少なくとも対応していることを特徴とする自動焦点カメラを提供する。
【０００６】
また、本発明にかかる自動焦点カメラでは、前記焦点検出領域選択手段の配列は、前記複数の焦点検出領域の配列と略相似的な位置関係にあることが好ましい。
【０００７】
また、本発明にかかる自動焦点カメラは、前記焦点検出領域選択手段の周辺部に、前記自動焦点カメラの視野枠に対応する視野枠マークを有することが好ましい。
【０００８】
また、本発明にかかる自動焦点カメラでは、前記焦点検出領域選択手段は、前記自動焦点カメラの裏蓋に配設されていることが好ましい。
【０００９】
また、本発明にかかる自動焦点カメラでは、前記焦点検出領域選択手段は、選択された前記焦点検出領域手段が判別可能であることが好ましい。
【００１０】
また、本発明にかかる自動焦点カメラでは、前記焦点検出領域選択手段は、前記複数の焦点検出領域の中で合焦した前記焦点検出領域が判別可能であることが好ましい。
【００１１】
また、本発明にかかる自動焦点カメラでは、前記焦点検出領域選択手段は、前記複数の焦点検出領域の焦点検出順序を判別可能であることが好ましい。
【発明の効果】
【００１２】
本発明によれば、複数の焦点検出領域の中から目的の焦点検出領域を即座に指定可能な自動焦点カメラを提供することができる。
【発明を実施するための最良の形態】
【００１３】
以下、本発明の一実施の形態に関し図面を参照しつつ説明する。
【００１４】
図１は、本発明の実施の形態にかかる自動焦点カメラを模式的に示す断面図である。図２（ａ）は、本発明の実施の形態にかかる自動焦点カメラのファインダ画面に示される焦点検出領域マークの一例を示し、（ｂ）は、焦点検出領域選択手段の配列の一例をそれぞれ示す。図３は、本発明の実施の形態にかかる自動焦点カメラの背面斜視図である。図４（ａ）、（ｂ）は、本発明の実施の形態にかかる自動焦点カメラの焦点検出領域の選択状態の例をそれぞれ示す。図５は、本発明の実施の形態にかかる自動焦点カメラの機能ブロック図を示す。
【００１５】
図１に示すように、不図示の被写体からの光は、カメラ本体１に設けられた撮影レンズ３のレンズ群５を通過してメインミラー７に入射する。メインミラー７で反射された光は焦点板９上に結像する。焦点板９に結像した被写体像からの光は、ペンタプリズム１５と接眼レンズ１７を介して撮影者に観察される。焦点板９には、液晶などを用いたファインダ表示器２４（ファインダとも記す）が設けられている。また、被写体からの光の一部は、プリズム１９で反射されて測光装置２１に入射し被写体の明るさが測定される。なお、撮影レンズ３は、カメラ本体１に着脱可能な構成となっている。
【００１６】
メインミラー７は部分的にハーフミラーとなっており、このハーフミラー部分を透過した光はサブミラー１１で反射されて焦点検出装置１３に入射する。焦点検出装置１３の内部には、図２（ａ）に示すような複数の焦点検出用のセンサー１３ａから１３ｋが設けられている。
【００１７】
センサー１３ａから１３ｋは、例えば、縦型のラインセンサー（例えば、ＣＣＤ素子）と横型のラインセンサー（例えば、ＣＣＤ素子）を組み合わせた十字型のセンサーである。センサー１３ａから１３ｋの配置に対応して、ファインダ表示器２５には焦点検出領域２５ａから２５ｋが設けられている。ファインダ表示器２５の焦点検出領域２５ａから２５ｋは、焦点板９に結像した被写体像と重ねて表示される。これら焦点検出領域２５ａから２５ｋと重なる被写体部分の選択された焦点検出領域のセンサーからの信号に基づき被写体までの測距が行われる。焦点検出装置１３からの測距情報に基づき、制御装置２７からレンズ群５を駆動するレンズ駆動装置２９に指令が送られ、レンズ群５が駆動されて被写体にフォーカシングされる。
【００１８】
図３に示すように、カメラ本体１には、レリーズボタン３１とファインダ接眼窓３３と情報設定ダイアル３５とカメラに設定される各種情報を表示する外部表示器３７が備えられている。外部標示器３７は、例えば、液晶表示装置が用いられる。
【００１９】
フィルム装填時に開閉される裏蓋３９には、焦点検出領域２５ａから２５ｋを選択する際に用いる焦点検出領域選択手段４１ａから４１ｋが設けられている。図２（ａ）、（ｂ）に示すように、焦点検出領域選択手段４１ａから４１ｋの配列は、焦点検出領域２５ａから２５ｋの配列に略相似的な位置関係に配置されている。焦点検出領域選択手段４１ａから４１ｋの外周部には、ファインダ２５の視野枠２４に相当する視野枠マーク４３が設けられている。焦点検出領域選択手段４１ａから４１ｋと視野枠マーク４３のは、焦点検出領域２５ａから２５ｋとファインダ２５の視野枠２４の位置関係と略相似的な位置関係になるように形成されている。
【００２０】
図４（ａ）に示すように、例えば、焦点検出領域選択手段４１ｄを選択した際には、ファインダ２４中の焦点検出領域２５ｄが視認できるように他の焦点検出領域と異なる表示色あるいは表示光で示される（スーパーインポーズ）。
【００２１】
図４（ｂ）に示すように、被写体５１に位置する焦点検出領域２５ｃを選択する際には、対応する焦点検出領域選択手段４１ｃを指で探し出しオン状態にすることで直接的に選択することが可能となり、選択された焦点検出領域２５ｃが異なる表示色あるいは表示光で示され、撮影者が視認できるようになる。
【００２２】
図２に示すように、焦点検出領域選択手段４１ａから４１ｋの配置が焦点検出領域２５ａから２５ｋの配置と略相似的な位置関係に配置されているため、撮影者がファインダ２５を見ながら、例えば親指で焦点検出領域選択手段４１ａから４１ｋの所望の位置（本例では、４１ｃ）を素早く直接的に探し出し選択することが可能となる。また、撮影者がファインダ２４から目を離すことなく焦点検出領域選択手段４１ａから４１ｋの中から所望の焦点検出領域選択手段選択することが可能なため、視覚に障害のある人でも、視野枠マーク４３と焦点検出領域選択手段４１ａから４１ｋを指で確認しながら焦点検出領域２５ａから２５ｋ中のいずれかを選択することができる。
【００２３】
焦点検出領域選択手段４１ａから４１ｋは、指で触れて分かる程度の凸凹を有するボタン群で構成されているが、タッチパネルなどを用いることも可能である。
【００２４】
また、選択されたボタンが判別できるように、ライト（例えば、ＬＥＤ等）が点灯するように構成されている。またこのライトは、選択されたボタンの順番によって色が変わり、焦点検出領域２５ａから２５ｋの焦点検出順番を判別することも可能である。また、このライトは、焦点検出領域２５ａから２５ｋの内、合焦した位置が判別できるように、合焦した位置のボタンのライトが点灯あるいは点滅するように構成されている。
【００２５】
また、焦点検出領域２５ａから２５ｋに対応する焦点検出領域選択手段４１ａから４１ｋ以外の特殊な機能を有するボタンを視野枠マーク４３内の焦点検出領域手段用のボタンの近傍に設けても良い（例えば、図２（ｂ）の破線で示すボタン）。この特殊機能ボタンは、例えば、焦点検出領域２５ａから２５ｋ内を所定のグループに分けた際の、グループ選択ボタン等に用いることができるし、あるいは、自動焦点カメラの焦点検出以外の機能を有するボタンを配置することも可能である。
【００２６】
なお、焦点検出領域２５ａから２５ｋに対応する焦点検出領域選択手段４１ａから４１ｋ以外のボタンは、色々な機能を有することが出来、設計により適宜配置すれば良い。
【００２７】
次に、本発明の実施の形態にかかる自動焦点カメラの制御に関して図５に基づき説明する。
【００２８】
図５において、制御回路６１には、レリーズボタン３１と、不図示の露出モード切替レバーに連動してオン/オフ動作を行う露出モードダイアル６２と、情報設定ダイアル３５の回転動作に連動してパルスを発生させるパルス発生回路６３と、焦点検出装置１３と、測光素子２１と、オン/オフスイッチ６５ａから６５ｋに連動してパルスを発生させるスイッチパルス回路３４ａから３４ｋとが接続されている。そして制御回路６１は、これらから信号を受けて各種の処理を行い表示駆動回路６６、６７を介して外部表示器３７、ファインダ２５に所定の情報の表示を行うと共に、図１に示す、制御装置２７に信号を送りレンズ駆動装置２９を駆動して被写体に合焦動作を行う。制御回路６１には、これらの処理を行うために、例えば、演算制御部や記憶部を備えたマイクロプロセッサユニット（ＭＰＵ）が設けられている。
【００２９】
オン/オフスイッチ６５ａから６５ｋは、焦点検出領域選択手段４１ａから４１ｋのそれぞれのオン／オフ動作に連動するように構成されている。
【００３０】
撮影者により、被写体５１（図４（ｂ）参照）に対応する焦点検出領域２５ｃが焦点検出領域選択手段４１ｃにより選択され際、対応するオン／オフスイッチ６５ｃがオン状態となりスイッチパルス回路３４ｃからパルスが発生され制御回路６１に入力される。レリーズボタン３１が半押し状態にされたとき、制御装置６１は、表示駆動回路６７を介してファインダ２５の選択された焦点検出領域２５ｃを視認できるようにスーパーインポーズすると共に、焦点検出装置１３からの焦点検出領域２５ｃの焦点検出状態信号を受けて、被写体５１への合焦状態を判別し、合焦していない場合には制御装置２７に信号を送りレンズ駆動装置２９によりレンズ群５を駆動して被写体５１へのフォーカシングが行われる。被写体５１に合焦した状態でレリーズボタン３１が全押しされメインミラー７が跳ね上げられて光路から外され、不図示のフィルムあるいは撮像素子に結像され、被写体５１の撮影が完了する。
【００３１】
上述のように、本発明の実施の形態によれば、多点測距可能な自動焦点カメラに於いて、目標とする焦点検出領域を直接的に選択することを可能とする焦点検出領域選択手段を有する自動焦点カメラを提供することが可能となる。
【００３２】
なお、上述の実施の形態は例に過ぎず、上述の構成や形状に限定されるものではなく、本発明の範囲内において適宜修正、変更が可能である。
【図面の簡単な説明】
【００３３】
【図１】本発明の実施の形態にかかる自動焦点カメラを模式的に示す断面図である。
【図２】（ａ）は、本発明の実施の形態にかかる自動焦点カメラのファインダ画面に示される焦点検出領域マークの一例を示し、（ｂ）は、焦点検出領域選択手段の配列の一例をそれぞれ示す。
【図３】本発明の実施の形態にかかる自動焦点カメラの背面斜視図である。
【図４】（ａ），（ｂ）は、本発明の実施の形態にかかる自動焦点カメラの焦点検出領域の選択状態の例をそれぞれ示す。
【図５】本発明の実施の形態にかかる自動焦点カメラの機能ブロック図を示す。
【符号の説明】
【００３４】
１      カメラ本体
３      撮影レンズ
５      レンズ群
７      メインミラー
９      焦点板
１１    サブミラー
１３    焦点検出装置
１３ａ〜１３ｋ    センサー
１５    ペンタプリズム
１７    接眼レンズ
１９    プリズム
２１    測光装置
２４    ファインダ視野枠
２５    ファインダ表示器（ファインダ）
２５ａ〜２５ｋ    焦点検出領域
２７    制御装置
２９    レンズ駆動装置
３１    レリーズボタン
３３    ファインダ接眼窓
３４ａ〜３４ｋ    スイッチパルス回路
３５    情報設定ダイアル
３７    外部表示器
３９    裏蓋
４１ａ〜４１ｋ    焦点検出領域選択手段
４３    視野枠マーク
５１    被写体
６１    制御回路
６２    露出モードダイアル
６３    パルス発生回路
６５ａ〜６５ｋ    オン／オフスイッチ
６６、６７  表示駆動回路
【図１】
2005227598.tif 000003
【図２】
2005227598.tif 000004
【図３】
2005227598.tif 000005
【図４】
2005227598.tif 000006
【図５】
2005227598.tif 000007